(57)【要約】
【課題】　速やかに開封して内容物を取り出すことができるとともに、手が直接食品に接触することが無い食品包装袋を提供すること。
【解決手段】　袋本体は表層片と底層片とを有し、該両片は左側端、右側端の縁を熱封着により一体になされ、該袋本体の上端は一つの熱封着によるシール領域を含み下端は一つの開口を形成して、食品は該開口から袋本体に収容され並びに袋本体の余分の長さにより密封されるとともに、該袋本体の表面に切断線を設けている切断線を備えた食品包装袋である。該切断線は横方向に袋本体の周囲表面に設けた２本の平行な脆い線により構成され、該脆い線に一つの始端部を定め、該始端部を経由して該切断線を横方向に除去し、上袋体を取り除き食品を露出させる。
　このようにして開封したとき手が食品に触れないので衛生的である。
【選択図】　　　図３
0003100073.tif 000002
【実用新案登録請求の範囲】
【請求項１】
　袋本体は表層片と底層片とを有し、該両片は左側端、右側端を熱封着により一体になされ、該袋本体の上端は一つの熱封着によるシール領域を含み下端は一つの開口を形成し、食品は該開口から袋本体に収容されて袋本体の余分の長さにより密封するとともに、該袋本体の表面に切断線を設けている切断線を備えた食品包装袋であって、該切断線は横方向に袋本体の周囲表面に設けた２本の平行な脆い線により構成され、該脆い線により一つの始端部を定め、該始端部から経由して切断線を横方向に裂き開いて、上袋体を分離して食品を露出せしめ、下袋体は使用者が持てるようにして、手を食品に接触させず、食品が汚染されないようにしたことを特徴とする切断線を備えた食品包装袋。
【請求項２】
　前記脆い線はミシン目であることを特徴とする請求項１記載の食品包装袋。
【請求項３】
　前記始端部はミシン目で構成された半円形、角形又は直線段の一つであることを特徴とする請求項１記載の食品包装袋。
【請求項４】
　前記切断線は食品の高さの１／２よりも高い位置にあることを特徴とする請求項１記載の食品包装袋。
【請求項５】
　前記袋本体はビニールフィルム材料により製造されていることを特徴とする請求項１記載の食品包装袋。
【請求項６】
　前記食品はサンドイッチまたはケーキであることを特徴とする請求項１記載の食品包装袋。
【考案の詳細な説明】
【技術分野】
【０００１】
　本考案は、ある種の切断線を具えた食品包装袋に関し、特にある種の速やかに開封して内容物を取り出すことができるとともに、手が直接に食品に接触することが無い食品包装袋に係るものである。
【背景技術】
【０００２】
　図１（ａ）、（ｂ）及び１（ｃ）は、それぞれ従来のサンドイッチの包装袋の平面図及び包装の使用状態を示す。図１（ａ）示すように、従来のサンドイッチの包装の構成は、透明のビニール袋で製造した三角形に近似した袋本体１００を利用し、袋本体１００の両側と頂部をそれぞれ熱で溶かして密封する。そして、その頂部を横切るように熱溶接して、一つのシール領域１０１を形成する。そして、底部には一つの開口１０３を残しておく。
【０００３】
　次に、図１（ｂ）及び１（ｃ）に示されているように、その開口１０３を通して、その中にサンドイッチ１０４を袋本体１００の包装空間内にサンドイッチ１０４の頂端１０５がシール領域１０１で止まるまで装入する。最後に、開口１０３を内側に向けて折り並びに相互に折りたたんで、図１（ｃ）に示すように、サンドイッチ１０４を密封する。
【０００４】
　さらに、図２（ａ）〜（ｃ）に従来例に係る袋本体の開封ステップを示す。開封時には、片手は袋本体１００を握り、もう一つの手は切断帯１０２を図２（ａ）に示した矢印の方向のように、下に向けて裂いて開くと袋本体１００の表面に一つの切れ目を形成する。しかしながら、図２（ｂ）に示したように、切断帯１０２を裂くときに、切断帯１０２の幅は往々にして変わり、裂開する長さが短くなり、極端な場合は、なお未だ袋本体１００を完全に裂開しないのに切断帯１０２が途中で切れてしまうので、使用者が図２（ｂ）に示す方向に切断帯１０２によって底まで裂くのに困ることになり、図２（ｃ）の矢印で示すように、サンドイッチを出すために、必ず破れた袋を左右の両側に分けて剥がして開かねばならなくなる。その破れた袋を剥がして開くときに使用者の両手は容易にサンドイッチに直接接触しやすく、サンドイッチ１０４を不潔にし、あるいはばい菌で汚染し、同時に使用者の両手も汚れるので、従来の包装袋は改善の余地がある。
【０００５】
【特許文献１】特開平５−１５３９２３号公報
【考案の開示】
【考案が解決しようとする課題】
【０００６】
　本考案の主要目的は、主に袋本体の表面上に切断線を設け、簡単に横向きにその切断線を裂き開いて上袋体を取り除き、食品を露出させて食用に供することができるようにした一種の食品包装袋を提供することにある。
　本考案のもう一つの目的は、横向きにその切断線を裂き開いて袋本体の上袋体を取り除いた後、使用者が下袋体を持つことができ、手をその食品と接触させず、食品を汚染させることを避けることができるようにした一種の食品包装袋を提供することにある。
【課題を解決するための手段】
【０００７】
　上記の目的を達成するために、本考案の切断線は袋本体の周囲表面上に横向きに設けた二筋の平行な脆い線により構成し、その脆い線は、例えばミシン目（貫通した点線）によって、その跡に沿って裂開し易いようになっている。また、前記ミシン目によって一つの始端部を定めており、例えば、前記のミシン目から二筋の平行するミシン目の間に一つの半円形のカット線を形成している。開封時には、まさにその始端部の相対する側に圧力を加えるだけで、その半円形のカット線を切ることができ、その端を露出させる。さらに、横方向に沿って切断線の跡を裂開して、上袋体を取り除き、食品を露出して食用に供し、下袋体を使用者が持つことができる。
【０００８】
　そして、前記課題を解決するために、本願の請求項１に係る考案は、食品包装袋において、袋本体は表層片と底層片とを有し、該両片は左側端、右側端を熱封着により一体になされ、該袋本体の上端は一つの熱封着によるシール領域を含み下端は一つの開口を形成し、食品は該開口から袋本体に収容されて袋本体の余分の長さにより密封するとともに、該袋本体の表面に切断線を設けている切断線を備えた食品包装袋であって、該切断線は横方向に袋本体の周囲表面に設けた２本の平行な脆い線により構成され、該脆い線により一つの始端部を定め、該始端部から経由して切断線を横方向に裂き開いて、上袋体を分離して食品を露出せしめ、下袋体は使用者が持てるようにして手を食品に接触させず、食品が汚染されないようにしたことを特徴とする。
【０００９】
　また、本願の請求項２に係る考案は、請求項１記載の食品包装袋において、前記脆い線はミシン目であることを特徴とする。
【００１０】
　また、本願の請求項３に係る考案は、請求項１記載の食品包装袋において、前記始端部はミシン目で構成された半円形、角形又は直線段の一つであることを特徴とする。
【００１１】
　また、本願の請求項４に係る考案は、請求項１記載の食品包装袋において、前記切断線は食品の高さの１／２よりも高い位置にあることを特徴とする。
【００１２】
　また、本願の請求項５に係る考案は、請求項１記載の食品包装袋において、前記袋本体はビニールフィルム材料により製造されていることを特徴とする。
【００１３】
　また、本願の請求項６に係る考案は、請求項１記載の食品包装袋において、前記食品はサンドイッチまたはケーキであることを特徴とする。
【考案の効果】
【００１４】
　請求項１に係る考案によれば、食品を包装袋から取り出すときに、速やかに開封して内容物を取り出すことができるとともに、手が直接に食品に接触しないので衛生的に食品を食用に供する食品包装袋を提供することができる。
【００１５】
　また、請求項２に係る考案によれば、前記脆い線がミシン目であるので、包装袋を切断線に沿って裂いて容易に分離することができる。
【００１６】
　また、請求項３に係る考案によれば、前記始端部がミシン目で構成された半円形、角形又は直線段の一つであるので、この始端部を手で押し切り、引っ張ることにより容易に食品包装袋を切断することができる。
【００１７】
　また、請求項４に係る考案によれば、前記切断線は食品の高さの１／２よりも高い位置にあるので、上部を取り除けば食品を適度に露出するとともに下部では食品に直接触れることなく保持できる。したがって、手が食品に接触しないので衛生的に食品を提供できる。
【００１８】
　また、請求項５に係る考案によれば、前記袋本体はビニールフィルム材料により製造されているので、食品の保存に適するとともに包装袋として加工が容易である。
【００１９】
また、請求項５に係る考案によれば、前記食品はサンドイッチまたはケーキであることが好ましく、これらの食品の包装に適する。
【考案を実施するための最良の形態】
【００２０】
　以下、本考案の具体的な実施例について、図面を用いて詳細に説明する。
【実施例１】
【００２１】
　本考案の実施例を、まず、図３（ａ）と３（ｂ）を参照し説明する。図３（ａ）は本考案に係る包装袋の袋本体の平面図であり、図３（ｂ）は本考案の袋本体の包装状態を示す斜視図である。
　本考案の食品包装袋２００は、ビニールフィルム材料により製造され、表層片２１２と底層片２１３とを具えている。両者の間の左側端２０７、右側端２０８及び上端のシール領域２０２は、それぞれ予め熱シールにより、収容空間を有する袋本体２００を形成している。袋本体２００の下端部は余分の長さと一つの開口２０６を包含し、例えばサンドイッチやケーキ等の食品２０３の収容に用い、また、余分の長さはその包装をシールして空間中に食品を収容する。袋本体２００の包装を完成した使用状態は、図３（ｃ）に示す斜視図のようになる。２０９は包装された食品の上端である。
【００２２】
　本考案によれば、袋本体２００の上端に近い表面の、食品２０３の高さに対して約２分の１のところに一つの切断線２０１を予め設けている。この切断線２０１は、横方向に袋本体２００の周囲表面に設けた二筋の幅を有する平行の脆い線により構成され、その脆い線は周知のミシン目により袋本体２００の横方面の表面にあって、跡に沿って裂いて開きやすいようになっている。並びにまた、そのミシン目によりこの二つの平行するミシン目の間に一つの半円形のカット線を形成し、始端部２１４を構成する。本考案によると、その始端部２１４を形成する位置は、袋本体２００の左側端２０７、あるいは右側端２０８の溶接線の近くの個所にするのが好ましい。包装した後、ちょうど食品２０３の側面上に形成するのが好ましい。または、図３（ｄ）に示すように、当業者が理解できるように、その始端部２１４もミシン目を介して二つの平行する脆い線２０１の間に角形、直線段、またはその他適当な形状のカット線を形成して、同等の効果を備えさせてもよい。
【００２３】
　さらに、図４（ａ）及び図４（ｂ）を参照して本考案に係る袋本体開封のステップを説明する。本考案に係る袋本体を開封して食品を取り出すときに、まず指で切断線２０１の始端部２１４の相対する側（図中矢印参照）に圧力を加えて、前記半円形のカット線を切って始端部２１４を露出し、その後始端部２１４を摘んで引っ張り、袋本体２００の横方向断面に沿って、速やかに切断線２０１を裂き開いて、上袋体２０４を取り除く、こうしてこの食品２０３の上端部を露出させることにより食用に供する。上袋体を取り除いた後は、図４（ｃ）の斜視図に示すようになる。そして下袋体２０５は使用者の保持に供することができ、食品２０３に直接触らず食品２０３が汚染されないようにしている。
【００２４】
　以上、本考案の実施例を詳細に説明したが、上記実施例は本考案を特定することを意図するものではなく、本考案の請求の範囲から逸脱しない範囲での均等な修正及び改良は、本考案の範囲に包含されるものであることは当業者にとり自明であろう。
【図面の簡単な説明】
【００２５】
【図１】図１（ａ）は、従来例に係る包装袋の袋本体の平面図であり、図１（ｂ）は、図１（ａ）の袋本体の包装状態を示す斜視図であり、図１（ｃ）は、図１（ａ）の袋本体の包装完成の使用状態を示す斜視図である。
【図２】図２（ａ）は、従来例の袋本体開封の第１ステップの説明図であり、図２（ｂ）は、従来例の袋本体開封の第２ステップの説明図であり、図２（ｃ）は、従来例の袋本体開封の第３ステップの説明図である。
【図３】図３（ａ）は、本考案に係る包装袋の袋本体の平面図であり、図３（ｂ）は、本考案の袋本体の包装状態を示す斜視図であり、図３（ｃ）は、図３（ａ）の袋本体の包装完成の使用状態を示す斜視図であり、図３（ｄ）は、切断線の始端部の変形例を示す説明図である。
【図４】図４（ａ）は、本考案に係る袋本体開封の第１ステップの説明図であり、図４（ｂ）は、本考案に係る袋本体開封の第２ステップの説明図であり、図４（ｃ）は、本考案に係る袋本体開封の第３ステップの説明図である。
【符号の説明】
【００２６】
２００　　袋本体
２０１　　切断線／脆い線
２０２　　上端のシール領域
２０３　　食品
２０４　　上袋体
２０５　　下袋体
２０６　　開口
２０７　　左側端、
２０８　　右側端
２０９　　食品の上端
２１２　　表層片
２１３　　底層片
２１４　　始端部
【図１】
0003100073.tif 000003
【図２】
0003100073.tif 000004
【図３】
0003100073.tif 000005
【図４】
0003100073.tif 000006